(57)【要約】【課題】介護用ポール装置であって、ポールに偶力が働くように取り扱われてもハンドル等が回転しないようにした介護用ポール装置を提供する。【解決手段】床面と天井との間に立設される外筒１１ａの内面に接し摺動・固定可能に装入される内筒１１ｂからなり上記内・外筒１１ａ，１１ｂの摺動が固定された状態で伸長方向に付勢する手段１６を備えたポール１１と、上記ポール１１と床面Ｂとの間に据え置かれる台座１２と、上記ポール１１と天井との間に載置される天座１３とからなる介護用ポール装置１０において、上記ポール１１にポールが湾曲する方向の負荷が加わったとき、ポール１１の湾曲に関わりなく、台座１２の下面が床面Ｂに密着し、かつ、ポール１１が回転しないように、台座と床面密着・ポール回転阻止手段１４を付加したものである。【選択図】図３
0003122273.tif 000002
【実用新案登録請求の範囲】
【請求項１】
床面と天井との間に立設される外筒（１１ａ）の内面に接し摺動・固定可能に装入される内筒（１１ｂ）からなり上記内・外筒（１１ｂ，１１ａ）の摺動が固定された状態で伸長方向に付勢する手段（１６）を備えたポール（１１）と、上記ポール（１１）と床面（Ｂ）との間に据え置かれる台座（１２）と、上記ポール（１１）と天井との間に載置される天座（１３）とからなる介護用ポール装置（１０）において、上記ポール（１１）にポールが湾曲する方向の負荷が加わったとき、ポール（１１）の湾曲に関わりなく、台座（１２）の下面が床面（Ｂ）に密着し、かつ、ポール（１１）が回転しないように、台座と床面密着・ポール回転阻止手段（１４）を付加したことを特徴とする介護用ポール装置。
【請求項２】
上記台座と床面密着・ポール回転阻止手段（１４）を、外側台座（１２ａ）と内側台座（１２ｂ）との二重構造とし、外側台座（１２ａ）の中心に窪み（１２ｃ）を設け、この窪み（１２ｃ）に内側台座（１２ｂ）を嵌め込んで内側台座（１２ｂ）と一体のポールが回転しない構造としたことを特徴とする請求項１に記載の介護用ポール装置。
【請求項３】
上記台座と床面密着・ポール回転阻止手段（１４）を、上記ポール（１１）の下端と上記台座（１２）との接合関係を球（Ｐ１）と球座（Ｐ２）構造とし、この球（Ｐ１）と球座（Ｐ２）間に回転阻止手段（１５）を設けたことを特徴とする請求項１に記載の介護用ポール装置。
【請求項４】
上記天座（１３）を、外側天座（１３ａ）と内側天座（１３ｂ）との二重構造とし、外側天座（１３ａ）に窪み（１３ｃ）を設け、この窪み（１３ｃ）に内側天座（１３ｂ）が嵌り込む構造としたことを特徴とする請求項１乃至３のいずれかに記載の介護用ポール装置。
【請求項５】
上記外側天座（１３ａ）と内側天座（１３ｂ）とが嵌り合った状態で、両天座が十字を成すことを特徴とする請求項1乃至４のいずれかに記載の介護用ポール装置。
【考案の詳細な説明】
【技術分野】
【０００１】
この考案は、歩行時の手すりや姿勢維持・変更のためのバーやグリップあるいはハンドル等（以下、単にハンドル等と表現する）を取り付ける介護用ポール装置に関する。
【背景技術】
【０００２】
介護を要する人々の姿勢維持・変更の際には、体力が不足しているため、その補助としてハンドル等が利用され、これらハンドル等は、例えば床面と天井との間に立設されたポールに取り付けられるものである。
【０００３】
上記ハンドル等を取り付けるポールに関する先行技術を調査したところ特許文献１があった。
【０００４】
【特許文献１】特開２００４−３１６０８９号公報（要約および選択図面）
【考案の開示】
【考案が解決しようとする課題】
【０００５】
上記先行技術では、ポールが床面および天井にネジ止めする構造となっており、持ち家ではこれを採用できるが、賃貸住宅では住宅に疵を付けることとなるため、これを採用することはできず、これに代るものとして図５に示すように床面Ｂと天井Ｔの間に「座」１２，１３を介在させてポール１１を突っ張らせるような状態で立設し、このポール１１にハンドル１８等（図１参照）を取り付けるようにしたものが採用されている。
【０００６】
このように設置されたポール１１では、要介護者がポール１１に偶力が働く方向にハンドル１８等を握って姿勢を維持・変更しようとすると、図５の一点鎖線で示すようにポール１１が撓んで傾き、ポール１１と一体の台座１２の一方が床面Ｂに対して点接触Ｐの状態となり、他方は浮き上がって上記偶力によってハンドル１８等が簡単に回転するようになって非常に危険な状態になる。
【０００７】
上記状況に鑑みこの考案は、床面と天井の間にポールを突っ張らせるような状態で立設し、このポールにハンドル等を取り付けるようにした介護用ポール装置であって、ポールに偶力が働くように取り扱われてもハンドル等が回転しないようにした介護用ポール装置を提供することを課題とする。
【課題を解決するための手段】
【０００８】
上記課題を解決するためにこの考案は、床面Ｂと天井Ｔとの間に立設される外筒１１ａの内面に接し摺動・固定可能に装入される内筒１１ｂからなり上記内・外筒１１ａ，１１ｂの摺動が固定された状態で伸長方向に付勢する手段１６を備えたポール１１と、上記ポール１１と床面Ｂとの間に据え置かれる台座１２と、上記ポール１１と天井Ｔとの間に載置される天座１３とからなる介護用ポール装置１０において、上記ポール１１にポールが湾曲する方向の負荷が加わったとき、ポール１１の湾曲に関わりなく、台座１２の下面が床面Ｂに密着し、かつ、ポール１１が回転しないように、台座と床面密着・ポール回転阻止手段１４を付加したものである。
【０００９】
上記台座と床面密着・ポール回転阻止手段１４を、外側台座１２ａと内側台座１２ｂとの二重構造とし、外側台座１２ａの中心に窪み１２ｃを設け、この窪み１２ｃに内側台座１２ｂを嵌め込んで内側台座１２ｂと一体のポールが回転しない構造とするか、上記台座と床面密着・ポール回転阻止手段１４を、上記ポール１１の下端と上記台座１２との接合関係を球Ｐ１と球座Ｐ２構造とし、この球Ｐ１と球座Ｐ２間に回転阻止手段１５を設けたものである。
【考案の効果】
【００１０】
上記の如く構成するこの考案によれば、床面と天井の間にポールを突っ張らせるような状態で設置した介護用装置において、ポールに湾曲させる力と偶力が同時に働いたときでもポールが回転せず要介護者の安全を確保することができる。
【考案を実施するための最良の形態】
【００１１】
次にこの考案の実施の形態を、図面を参照しながら説明する。
【実施例１】
【００１２】
実施例１について図１〜図３を参照しながら説明する。台座１２は、外側台座１２ａと内側台座１２ｂとの二重構造となっており、外側台座１２ａの中心に窪み１２ｃを設け、この窪み１２ｃに内側台座１２ｂが隙間なく嵌り込み、内側台座１２ｂの中心にボス１７が形成され、このボス１７に外筒１１ａを差込み、外筒１１ａの下端の（図示しない）植え込みボルトと内側台座１２ｂの裏側からナットで固定されている。
【００１３】
ポール１１は、外筒１１ａと、その内面に接しながら摺動・固定可能に装入される内筒１１ｂとからなり、上記内・外筒１１ｂ，１１ａの摺動が固定された状態でもなお伸長方向に付勢する手段１６を備えている。
【００１４】
外筒１１ａの上端に内筒１１ｂが挿入された部分には伸長方向付勢する手段１６があり、内筒１１ｂの頂部には外側天座１３ａと内側天座１３ｂとを二重構造にした天座１３が載せられ、外側天座１３ａの窪み１３ｃに内側天座１３ｂが嵌り込んでいる。
【００１５】
上記のように台座１２を二重構造にすることにより、もし、ポール１１にポールが湾曲する方向の負荷が加わったとき、内側台座１２ｂは、図３に示すように外側台座１２ａに嵌り込んだ状態のままで片方が浮き上がり、内側台座１２ｂの下面と外側台座１２ａの窪み面との面接触抵抗がなくなりポールが回転し易くなるが、内側台座１２ｂの周囲は外側台座１２ａの窪み１２ｃの内周に密着している。そして、外側台座１２ａの下面は床面Ｂに全面密着した状態を維持し、外側台座１２ａは床面Ｂに対して回転することはなく、全体としてポール１１は回転することがない。
【実施例２】
【００１６】
次に実施例２について図４を参照しながら説明する。ポール１１の基本的部分は実施例１と同様であるからその部分の説明は省略し変わっている部分を説明する。ポール１１の下端と台座１２との接合関係を球Ｐ１と球座Ｐ２の構造とし、この球Ｐ１と球座Ｐ２との間に回転阻止手段１５を設けている。
【００１７】
上記回転阻止手段１５は、球Ｐ１の外周に切り込み１５ａが形成され、球座Ｐ２の内周には上記切り込み１５ａに嵌まる歯１５ｂが形成され、ポール１１が湾曲すると球Ｐ１と球座Ｐ２構造によってポール１１の傾きを吸収して台座１２には影響せず、台座１２の下面は床面Ｂに対して全面密着状態を維持し、床面Ｂに対して台座１２は回転せず、上記切り込み１５ａと歯１５ｂとの噛み合いによってポールは回転しない。
【００１８】
上記実施例では、切り込み１５ａと歯１５ｂとの噛み合いにより台座１２とポール１１間の回転を阻止するようにしたが、台座１２のボス１７の内周とポール１１の下端外周に歯を形成し、これらの歯を噛み合わせるようにすることもできる。
【００１９】
なお、上記実施例１および２の説明ではポール１１の台座１２と床面Ｂとの関係で説明したが、ポール１１の頂部に載せた天座１３と天井Ｔとの関係でも同様の構造を採用するならばさらに効果的である。
【００２０】
また、上記ポール１１の伸長方向の付勢手段１６は、天座１３のボス１７内につる巻きバネ（図示せず）を介在させて内筒１１ｂを摺動可能に装入して抜け止めを施し、内・外筒差込み部分に亘って設けた固定リング１６ａ，１６ｂとレバー１６ｃを操作することにより内筒側のリング１６ａが内筒１１ｂを締付けるとともに内筒１１ｂを上記つる巻きバネ（図示せず）の付勢に抗して押し上げポール１１全体を床面Ｂと天井Ｔとのあいだで突っ張らせるようになっている。ただし、ポールの伸長方向の付勢構造は、上記構造に拘るものではない。
【産業上の利用可能性】
【００２１】
以上説明したようにこの考案によれば、床面と天井の間にポールを突っ張らせるような状態で設置した介護用ポール装置において、ポールに湾曲させる力と偶力が同時に働いたときでもポールが回転することはない。従って賃貸住宅等で内層に疵を付けることができない住宅において安心して需要を拡大することが可能となった。
【図面の簡単な説明】
【００２２】
【図１】この考案に係る介護用ポール装置の正面図
【図２】リングハンドル部分の平面図
【図３】実施例１におけるポール湾曲時の台座部分の力の掛かり具合説明図
【図４】実施例２のポール下端と台座との接合構造説明図で（ａ）は縦断面図、（ｂ）は横断面図
【図５】従来技術に係る介護用ポール装置の台座部分の力の掛かり具合説明図
【符号の説明】
【００２３】
１０  介護用ポール装置
１１  ポール
１１ａ  外筒
１１ｂ  内筒
１２  台座
１２ａ  外側台座
１２ｂ  内側台座
１２ｃ  窪み
１３  天座
１３ａ  外側天座
１３ｂ  内側天座
１３ｃ  窪み
１４  台座と床面密着・ポール回転阻止手段
１５  回転阻止手段
１６  伸長方向に付勢する手段
１７  ボス
１８  ハンドル
Ｂ  床面
Ｔ  天井
Ｐ１  球
Ｐ２  球座
【図１】
0003122273.tif 000003
【図２】
0003122273.tif 000004
【図３】
0003122273.tif 000005
【図４】
0003122273.tif 000006
【図５】
0003122273.tif 000007